(57)【特許請求の範囲】
【請求項１】
新聞紙面に掲載する少なくとも記事、画像、写真からなる複数の要素を紙面上に配置することによって紙面データを編集し、編集が完了した紙面データを降版し、新聞紙面を制作する新聞紙面の制作システムであって、
前記各要素のうち記事に予め付与された要素ＩＤ番号及び仮見出しを含む要素識別情報を、対応する記事が配置された前記紙面上の配置位置に印字するが、同一の要素ＩＤ番号が更に別の配置位置に印字される場合には、前記別の配置位置には前記仮見出しを印字せず、予めなされた指定入力に基づいて、該同一の要素ＩＤ番号と、該同一の要素ＩＤ番号を区別する分数表示とを印字する印字手段を備えた新聞紙面の制作システム。
【請求項２】
新聞紙面の制作処理を行うコンピュータ読み取り可能なプログラムであって、
前記新聞紙面に掲載する少なくとも記事、画像、写真からなる複数の要素と、前記各要素に予め付与された要素識別情報とを記憶手段に記憶する識別情報記憶機能、
前記記憶手段に記憶された各要素のうちの何れかを紙面上に配置することによって紙面データを編集する紙面編集機能、
前記紙面編集機能によって編集された紙面データに配置された前記各要素のうち記事に対応する要素ＩＤ番号及び仮見出しを含む要素識別情報を前記記憶手段から取得し、この取得した要素識別情報を、対応する記事が前記紙面データ上に配置された配置位置に印字するが、同一の要素ＩＤ番号が更に別の配置位置に印字される場合には、前記別の配置位置には前記仮見出しを印字せず、予めなされた指定入力に基づいて、該同一の要素ＩＤ番号と、該同一の要素ＩＤ番号を区別する分数表示とを印字する識別情報印字機能
をコンピュータに実現させるための新聞紙面の制作用プログラム。
【発明の詳細な説明】
【０００１】
【発明の属する技術分野】
本発明は、新聞社や印刷会社において使用され、新聞の各紙面に記事や画像などの素材を配置して、印刷用の版下データを作成する新聞紙面の制作システムおよび制作用プログラムに関する。
【０００２】
【従来の技術】
一般に、図３６（ｂ）に示すように、新聞１０は複数の紙面１２で構成されている。各紙面１２は、第１面、政治面、経済面、スポーツ面、社会面等に分類される。各紙面１２内には、図３６（ａ）に示すように、レイアウトに特徴があり、まとまった組物である小組を複数含んでいる。そして、大組１３及び小組１４内には、複数の画像（写真、イラスト）１５や複数の記事１６が掲載される。さらに、紙面１２の下方に、広告１７が掲載される。
【０００３】
各記事１６や各画像（写真、イラスト）１５は多数の新聞記者やカメラマンによって収集されて新聞社に送られる。新聞社においては、新聞記者やカメラマンから送られた膨大な量の記事や画像のうち、どの記事や画像をどの紙面１２で採用するかを決定して、採用が決まった記事１６や画像１５を編集する。そして、編集された記事１６や画像１５を、記事内容や画像内容を考慮して、各紙面１２上に配置（割付け）して印刷用の版下データを作成する必要がある。
【０００４】
新聞１０においては、新聞記者やカメラマンから記事１６や画像１５を受信してから、短時間のうちに新聞を発行する必要があるので、上述した編集された膨大な数の記事１６や画像１５を各紙面１２に配置することによって割り付ける作業が、複数のオペレータによって行われている。このように複数のオペレータ作業によって、印刷用の版下データが作成される。
【０００５】
【発明が解決しようとする課題】
しかしながら、このような従来の新聞紙面制作システムでは、以下のような問題がある。
【０００６】
すなわち、このように作成された版下データに対して、オペレータは、紙面の割り付け状態を確認するために、割り付けられた素材のＩＤや仮見出しなどの識別情報を参照している。
【０００７】
しかしながら、通常の印字物である刷りはレイアウトされた新聞紙面の印刷物であるため、素材のＩＤや仮見出しなどの情報は印刷されない。これは紙面の校閲チェック時に印刷される紙面以外の情報が印刷されていると、それが本当に紙面上にあるのかどうかの判断がつきにくいからである。つまり、印刷された情報が記事等の素材そのものなのか、あるいはＩＤや仮見出しなのかの区別がつかなくなる。このため、勘違いによるミス等を誘発しないように、素材のＩＤや仮見出しなどの情報は印刷しないようにされている。
【０００８】
そのため、編集者は紙面の記事や写真の内容から素材の識別情報を把握することになるため、対応付けの作業を別途手作業で行わねばならず、オペレータの負担が多く、作業効率の低下をもたらしているという問題がある。
【０００９】
本発明はこのような事情に鑑みてなされたものであり、紙面に割り付けられた素材の識別情報や仮見出しなどの情報のみを紙面上の対応する素材の配置位置に印刷することによって、紙面の割付状態を確認できるようにし、もって、オペレータの負担を軽減し、作業効率の向上を図ることが可能な新聞紙面の制作システムおよび制作用プログラムを提供することを目的とする。
【００１０】
【課題を解決するための手段】
上記の目的を達成するために、本発明では、以下のような手段を講じる。
【００１１】
すなわち、請求項１の発明は、新聞紙面に掲載する少なくとも記事、画像、写真からなる複数の要素を紙面上に配置することによって紙面データを編集し、編集が完了した紙面データを降版し、新聞紙面を制作する新聞紙面の制作システムであって、各要素のうち記事に予め付与された要素ＩＤ番号及び仮見出しを含む要素識別情報を、対応する記事が配置された紙面上の配置位置に印字するが、同一の要素ＩＤ番号が更に別の配置位置に印字される場合には、別の配置位置には仮見出しを印字せず、予めなされた指定入力に基づいて、該同一の要素ＩＤ番号と、該同一の要素ＩＤ番号を区別する分数表示とを印字する印字手段を備えている。
【００１４】
請求項２の発明は、新聞紙面の制作処理を行うコンピュータ読み取り可能なプログラムであって、新聞紙面に掲載する少なくとも記事、画像、写真からなる複数の要素と、各要素に予め付与された要素識別情報とを記憶手段に記憶する識別情報記憶機能、記憶手段に記憶された各要素のうちの何れかを紙面上に配置することによって紙面データを編集する紙面編集機能、紙面編集機能によって編集された紙面データに配置された各要素のうち記事に対応する要素ＩＤ番号及び仮見出しを含む要素識別情報を記憶手段から取得し、この取得した要素識別情報を、対応する記事が紙面データ上に配置された配置位置に印字するが、同一の要素ＩＤ番号が更に別の配置位置に印字される場合には、別の配置位置には仮見出しを印字せず、予めなされた指定入力に基づいて、該同一の要素ＩＤ番号と、該同一の要素ＩＤ番号を区別する分数表示とを印字する識別情報印字機能をコンピュータに実現させるための新聞紙面の制作用プログラムである。
【００１６】
従って、本発明においては、以上のような手段を講じることにより、各要素に予め付与された要素ＩＤ番号や仮見出し等の要素識別情報を、対応する要素が配置された紙面上の配置位置に印字することができる。そして、この印字された要素識別情報を参照することによって、各要素が紙面上に正しく配置されていることを降版前に確認することができる。これによって、オペレータの負担を軽減し、作業効率の向上を図ることが可能となる。
【００１７】
【発明の実施の形態】
以下に、本発明の各実施の形態について図面を参照しながら説明する。
【００１８】
（第１の実施の形態）
本発明の第１の実施の形態を図１から図３４を用いて説明する。
【００１９】
図１は、本発明の第１の実施の形態に係る新聞紙面制作システムの構成例を示す機能ブロック図である。
【００２０】
すなわち、本実施の形態に係る新聞紙面制作システムは、例えば磁気ディスク等の記憶媒体に記憶されたプログラムを読み込み、このプログラムによって動作が制御されるコンピュータによって実現されるものであって、記事入力／校正端末１と、記事サーバ２と、画像入力／加工端末３と、画像サーバ４と、組版端末５と、組版編集サーバ６と、紙面データ格納部７と、出力サーバ８と、プリンタ／プロッタ９とを備えている。
【００２１】
記事入力／校正端末１は、記事の入力および校正を行うための端末であり、オペレータから記事情報の入力を受け付け、記事サーバ２に出力する。また、記事サーバ２に蓄積されている記事情報を取得して、その記事情報に基づく校正入力をオペレータから受け付け、校正された記事情報を記事サーバ２に再び出力する。
【００２２】
記事サーバ２は、記事入力／校正端末１から入力された記事情報、または、図示しない通信回線を経由して通信社などから入力された記事情報を受信し、蓄積する。また、記事入力／校正端末１からの校正要求により、蓄積している記事情報の中から、要求のあった記事情報を記事入力／校正端末１に出力する。更に、オペレータの指示などに従って、蓄積している記事情報を組版編集サーバ６に出力する。
【００２３】
画像入力／加工端末３は、画像データの入力および画像データの加工を行うための端末であり、スキャナやディスプレイ等を備えている。このような画像入力／加工端末３は、オペレータから画像データの入力を受け付け、入力された画像データを画像サーバ４に出力する。また、オペレータから入力された画像データの加工操作入力に基づいて画像データの加工を行い、加工した画像データを画像サーバ４に出力する。なお、画像データを加工する場合には、画像入力／加工端末３に入力されている画像データを直接加工することも、また、画像サーバ４に蓄積されている画像データから所定の画像データを取得し、その画像データを加工することのいずれも可能としている。
【００２４】
画像サーバ４は、画像入力／加工端末３から出力された画像データを取得し、蓄積する。また、画像入力／加工端末３からの要求により、蓄積している画像データの中から、要求のあった画像データを画像入力／加工端末３に出力する。更に、オペレータの指示などに従って、蓄積している画像データを組版編集サーバ６に出力する。
【００２５】
組版端末５は、例えばワークステーションやパーソナルコンピュータで構成されており、オペレータによる記事、画像、および見出しのレイアウト編集を行うための操作入力を受け付け、入力された操作入力を組版編集サーバ６に出力する。
【００２６】
組版編集サーバ６は、編集部６０と紙面割付素材識別情報出力部６１とを備えている。編集部６０は、組版端末５からの操作入力に基づいて紙面データの編集作業を行い、編集済の紙面データ７１を紙面データ格納部７に格納したり、あるいは紙面データ格納部７に格納されている紙面データ７１を取り出し、この紙面データ７１を編集して再び紙面データ格納部７に格納させる。紙面割付素材識別情報出力部６１は、組版端末５による操作入力に基づいて、あるいは予め定めた手順に従って自動的に、図２のフローチャートに示すように概略動作する。すなわち紙面割付素材識別情報出力部６１は、紙面データ７１から配置素材を抽出して紙面割付素材識別情報出力用データを作成し（Ｓ１）、作成した紙面割付素材識別情報出力用データを最終出力用データに変換し（Ｓ２）、変換した最終出力用データを出力サーバ８から印刷させる（Ｓ３）機能を有している。
【００２７】
図３から図１４はこのような紙面データ７１の一例を示すデータ構成図であり、図１５から図２３は紙面割付素材識別情報出力用データ６２の一例を示すデータ構成図であり、図２４から図２８は最終出力用データ６３の一例を示すデータ構成図である。
【００２８】
すなわち、紙面データ７１は紙面番号（＃ｎ）毎に、図３に示すような管理情報と、図４から図１３に示すような各素材情報と、図１４に示すような記事データとからなっている。
【００２９】
管理情報は、図３に示すように、掲載年月日７１ＫＮ（ｎ）、面名７１ＭＮ（ｎ）、版名７１ＨＮ（ｎ）、印刷ページ番号７１ＰＧ（ｎ）、体裁情報（組方向、段数、字詰、文字サイズ、段間、行間など）７１ＴＳ（ｎ）、紙面Ｘ方向寸法７１ＰＸ（ｎ）、紙面Ｙ方向寸法７１ＰＹ（ｎ）の各データからなっている。
【００３０】
素材情報は、紙面への配置が検討されている全ての素材毎に存在するものである。したがって、例えば、本文記事ａ、本文記事ｂ、本文記事ｃ、画像ｄ、画像ｅ、画像ｆ、小組ｇ、本文記事ｈ、本文記事ｉ、画像ｊの各素材情報の配置が検討されている紙面の場合には、図４から図１３に示すように、これら各素材毎に存在する。このような素材情報のデータ構成は、＃１素材情報（本文記事ａ）を対象とした図４に示すように素材種別７１ＳＢ（ｎ＃１）、素材ＩＤ番号７１ＩＤ（ｎ＃１）、配置情報７１ＦＬ（ｎ＃１）、配置矩形領域数７１ＬＭＴ（ｎ＃１）、配置矩形Ｘ座標７１ＬＭＸ（ｎ＃１）、配置矩形Ｙ座標７１ＬＭＹ（ｎ＃１）、仮見出し７１ＫＭ（ｎ＃１）、本文記事ａのテキスト格納アドレス情報７１ＡＤ（ｎ＃１）、本文記事ａのレイアウト済テキスト格納アドレス情報７１ＢＤ（ｎ＃１）を持つ。配置矩形Ｘ座標７１ＬＭＸ（ｎ＃１）および配置矩形Ｙ座標７１ＬＭＹ（ｎ＃１）は、配置矩形領域数７１ＬＭＴ（ｎ＃１）が複数ある場合には、それに相当する数だけ存在する。その他の素材情報に関しても図４と同様のデータ構成をしている。
【００３１】
記事データは、図１４に示すように、素材情報毎の記事のテキスト７１ＴＸ、レイアウト済テキスト７１ＬＸ、画像の表示画データ７１ＨＩ、実画像データ７１ＲＩからなっている。
【００３２】
また、紙面割付素材識別情報出力用データ６２は紙面番号（＃ｎ）毎に、図１５に示すような管理情報と、図１６から図２３に示すような各素材情報とからなっている。
【００３３】
管理情報は、紙面データ７１の管理情報と同様に、図１５に示すように、掲載年月日６２ＫＮ（ｎ）、面名６２ＭＮ（ｎ）、版名６２ＨＮ（ｎ）、印刷ページ番号６２ＰＧ（ｎ）、体裁情報（組方向、段数、字詰、文字サイズ、段間、行間など）６２ＴＳ（ｎ）、紙面Ｘ方向寸法６２ＰＸ（ｎ）、紙面Ｙ方向寸法６２ＰＹ（ｎ）の各データからなっている。
【００３４】
素材情報は、紙面に配置されている全ての素材毎に存在するものである。したがって、例えば、本文記事ａ、本文記事ｂ、画像ｄ、画像ｅ、小組ｇ、本文記事ｈ、本文記事ｉ、画像ｊの各素材情報が配置されている紙面の場合には、図１６から図２３に示すように、これら各素材毎に存在する。このような素材情報のデータ構成は、＃１素材情報（本文記事ａ）を対象とした図１６に示すように素材種別６２ＳＢ（ｎ＃１）、素材ＩＤ番号６２ＩＤ（ｎ＃１）、仮見出し６２ＫＭ（ｎ＃１）、配置矩形領域数６２ＥＮ（ｎ＃１）、配置矩形領域Ｘ始点６２ＸＹＳＸ（ｎ＃１）、配置矩形領域Ｙ始点６２ＸＹＳＹ（ｎ＃１）、配置矩形領域Ｘ終点６２ＸＹＥＸ（ｎ＃１）、配置矩形領域Ｙ終点６２ＸＹＥＹ（ｎ＃１）を持つ。配置矩形領域Ｘ始点６２ＸＹＳＸ（ｎ＃１）、配置矩形領域Ｙ始点６２ＸＹＳＹ（ｎ＃１）、配置矩形領域Ｘ終点６２ＸＹＥＸ（ｎ＃１）、配置矩形領域Ｙ終点６２ＸＹＥＹ（ｎ＃１）は、配置矩形領域数６２ＥＮ（ｎ＃１）が複数ある場合には、それに相当する数だけそれぞれ存在する。その他の素材情報に関しても図１６と同様のデータ構成をしている。
【００３５】
一方、最終出力用データ６３は紙面番号（＃ｎ）毎に、図２４に示すような管理情報と、図２５から図２８に示すような各素材配置情報とからなっている。
【００３６】
管理情報は、紙面割付素材識別情報出力用データ６２の管理情報と同様に、図２４に示すように、掲載年月日６３ＫＮ（ｎ）、面名６３ＭＮ（ｎ）、版名６３ＨＮ（ｎ）、印刷ページ番号６３ＰＧ（ｎ）、体裁情報（組方向、段数、字詰、文字サイズ、段間、行間など）６３ＴＳ（ｎ）、紙面Ｘ方向寸法６３ＰＸ（ｎ）、紙面Ｙ方向寸法６３ＰＹ（ｎ）の各データからなっている。
【００３７】
素材配置情報は、紙面に配置されている全ての素材毎に存在するものである。したがって、例えば、本文記事ａ、本文記事ｂ、画像ｄ、画像ｅ、小組ｇ、本文記事ｈ、本文記事ｉ、画像ｊの各素材情報が配置されている紙面の場合には、これら各素材毎に存在する。図２５は本文記事ａに関する素材配置情報、図２６は本文記事ｂに関する素材配置情報、図２７は画像ｄに関する素材配置情報、図２８は画像ｅに関する素材配置情報である。なお、小組ｇ、本文記事ｈ、本文記事ｉ、および画像ｊに関する素材配置情報は省略している。
【００３８】
このような素材配置情報のデータ構成は、図２９に示すように、紙面２０上において素材が配置された場所と、対応する素材の素材ＩＤ番号を印刷する場所と、対応する素材の仮見出しを印刷する場所とを定義する各データから構成している。
【００３９】
たとえば、記事、画像、あるいは小組が、図２９に示すように領域２１から領域３２までのいずれかに配置される場合を例に説明する。領域２１から領域３２までのうち、領域２１から領域２３は、本文記事ａを配置する領域である。そして、領域２１にのみ素材ＩＤ番号「Ｔａ：１／３」と、仮見出し「明るい農村」とを印字し、領域２２と領域２３には素材ＩＤ番号「Ｔａ：２／３」、「Ｔａ：３／３」のみを印字する場合、本文記事ａの素材配置情報は、図２５に示す如くとなる。
【００４０】
すなわち、データ区分６３ＦＬ（ｎ＃１）で「線分」と指定し、配置矩形領域上辺の始点／終点ＸＹ座標６３ＵＰ（ｎ＃１）、配置矩形領域下辺の始点／終点ＸＹ座標６３ＤＷ（ｎ＃１）、配置矩形領域左辺の始点／終点ＸＹ座標６３ＬＴ（ｎ＃１）、配置矩形領域右辺の始点／終点ＸＹ座標６３ＲＴ（ｎ＃１）で領域２１の外枠が印字されるように指定する。次に、データ区分６３（ｎ＃２）で「文字列」を指定し、先頭文字列の基点のＸＹ座標６３ＸＹ（ｎ＃２）と指定し、印字する文字列として素材ＩＤ番号「Ｔａ：１／３」を指定することにより、指定したＸＹ座標６３ＸＹ（ｎ＃２）から素材ＩＤ番号「Ｔａ：１／３」が印字されるように指定する。更に、データ区分６３（ｎ＃３）で「文字列」と指定し、先頭文字列の基点のＸＹ座標６３ＸＹ（ｎ＃３）を指定し、印字する文字列として素材の仮見出し「明るい農村」を指定することにより、指定したＸＹ座標６３ＸＹ（ｎ＃３）から素材の仮見出し「明るい農村」が印字されるように指定する。このように指定することによって、図２９の領域２１に示すように印字がなされるようにしている。
【００４１】
領域２２には、仮見出しは印字されておらず、素材ＩＤ番号のみが印字されているが、これは図２５に示すように、データ区分６３ＦＬ（ｎ＃４）で「線分」と指定し、配置矩形領域上辺の始点／終点ＸＹ座標６３ＵＰ（ｎ＃４）、配置矩形領域下辺の始点／終点ＸＹ座標６３ＤＷ（ｎ＃４）、配置矩形領域左辺の始点／終点ＸＹ座標６３ＬＴ（ｎ＃４）、配置矩形領域右辺の始点／終点ＸＹ座標６３ＲＴ（ｎ＃４）で領域２２の外枠を指定し、データ区分６３（ｎ＃５）で「文字列」を指定し、先頭文字列の基点のＸＹ座標６３ＸＹ（ｎ＃５）と指定し、印字する文字列として素材ＩＤ番号「Ｔａ：２／３」を指定することにより、指定したＸＹ座標６３ＸＹ（ｎ＃５）から素材ＩＤ番号「Ｔａ：２／３」が印字されるように指定している。領域２３についても同様である。
【００４２】
同様に、図２６に示す本文記事ｂの素材配置情報は、図２９に示すように領域２５および領域３１を印字するように定義している。図２７に示す画像ｄの素材配置情報は、図２９に示すように領域２４を印字するように定義している。図２８に示す画像ｅの素材配置情報は、図２９に示すように領域３２を印字するように定義している。
【００４３】
紙面データ格納部７は、組版編集サーバ６から出力された紙面データ７１を格納する。また、格納している紙面サーバ７１を読み出すように、組版編集サーバ６側から要求された場合には、紙面データ７１を読み出して組版編集サーバ６に出力する。
【００４４】
出力サーバ８は、組版端末５からの大刷／版下出力指示にしたがって、組版編集サーバ６から出力された紙面データ７１をドットデータに展開してプリンタ／プロッタ９に出力する。
【００４５】
プリンタ／プロッタ９は、出力サーバ８からドットデータを取得し、取得したドットデータに基づいて大刷や版下を出力する。
【００４６】
次に、以上のように構成した本発明の実施の形態に係る新聞紙面制作システムの動作について説明する。
【００４７】
まず、図２に示すステップＳ１に相当する動作である紙面割付素材識別情報出力部６１によってなされる紙面割付素材識別情報出力用データ６２の作成動作の詳細を図３０に示すフローチャートを用いて説明する。
【００４８】
まず、オペレータが組版端末５から編集部６０に紙面名を入力すると、紙面割付素材識別情報出力部６１によって、この入力された紙面名の紙面データ７１が紙面データ格納部７から読み出される（Ｓ１１）。このように、紙面データ７１が紙面割付素材識別情報出力部６１によって読み出されると、紙面割付素材識別情報出力部６１によって紙面割付素材識別情報出力用データ６２が初期化され（Ｓ１２）、指定紙面の紙面データ７１内の管理情報が、紙面割付素材識別情報出力用データ６２の管理情報としてコピーされる（Ｓ１３）。
【００４９】
次に、指定紙面の紙面データ７１内の素材情報の先頭の素材情報が対象とされ（Ｓ１４）、ステップＳ１５以降の処理がなされる。
【００５０】
まず、ステップＳ１５では、対象とされた素材情報が「未配置」であるかが確認される。対象とされた素材情報が「配置」である場合（Ｓ１５：Ｎｏ）には、指定紙面の紙面データ７１内の素材種別７１ＳＢ、素材ＩＤ番号７１ＩＤ、仮見出し７１ＫＭが紙面割付素材識別情報出力用データ６２に書き込まれる（Ｓ１６）。
【００５１】
次に、紙面データ７１の配置矩形領域数７１ＬＭＴから配置矩形領域数６２ＥＮが求められ、紙面割付素材識別情報出力用データ６２に書き込まれる（Ｓ１７）。更に、紙面データ７１の配置矩形座標７１ＬＭＸ、７１ＬＭＹから配置矩形領域数６２ＥＮ分の配置矩形領域Ｘ始点６２ＸＹＳＸ、配置矩形領域Ｙ始点６２ＸＹＳＹ、配置矩形領域Ｘ終点６２ＸＹＥＸ、配置矩形領域Ｙ終点６２ＸＹＥＹが計算され、紙面割付素材識別情報出力用データ６２に書き込まれる（Ｓ１８）。
【００５２】
そして、ステップＳ１６からステップＳ１８までの処理が指定紙面の全ての素材情報に対して処理がなされた場合（Ｓ１９：Ｙｅｓ）には、紙面割付素材識別情報出力用データ６２の作成処理を完了する。一方、ステップＳ１６からステップＳ１８までの処理がなされていない素材情報がある場合（Ｓ１９：Ｎｏ）には、指定紙面の素材情報の次の素材情報が対象とされ、ステップＳ１５に戻る（Ｓ２０）。
【００５３】
また、ステップＳ１５において、対象とされた素材情報が「未配置」である場合（Ｓ１５：Ｙｅｓ）、この素材情報に対しては、何の処理も行われず、ステップＳ１９の処理に進む。
【００５４】
次に、図２に示すステップＳ２に相当する動作である紙面割付素材識別情報出力部６１によってなされる最終出力用データ６３の作成動作の詳細を図３１から図３４に示すフローチャートを用いて説明する。
【００５５】
図３０に示す動作にしたがって作成された紙面割付素材識別情報出力用データ６２に基づいて最終出力用データ６３を作成する場合には、まず、作成された紙面割付素材識別情報出力用データ６２が読み込まれ（Ｓ２１）、更に最終出力用データ６３が初期化され（Ｓ２２）、紙面割付素材識別情報出力用データ６２内の管理情報が、最終出力用データ６３の管理情報としてコピーされる（Ｓ２３）。
【００５６】
次に、紙面割付素材識別情報出力用データ６２内の素材情報の先頭の素材情報が対象とされ（Ｓ２４）、ステップＳ２５以降の処理がなされる。
【００５７】
まず、ステップＳ２５では、対象とされた素材情報の素材種別６２ＳＢが「記事」であるかが確認される。素材種別６２ＳＢが「記事」である場合（Ｓ２５：Ｙｅｓ）には、配置矩形領域座標６２ＸＹＳＸ、６２ＸＹＳＹ、６２ＸＹＥＸ、６２ＸＹＥＹに基づいて、配置矩形領域上辺の始点／終点ＸＹ座標６３ＵＰ、下辺の始点／終点ＸＹ座標６３ＤＷ、左辺の始点／終点ＸＹ座標６３ＬＴ、右辺の始点／終点ＸＹ座標６３ＲＴが計算され、最終出力用データ６３に書き込まれる（Ｓ２６）。
【００５８】
次に、素材ＩＤ番号６２ＩＤの文字列の印字を開始する先頭座標６３ＸＹが計算され、最終出力用データ６３に書き込まれる（Ｓ２７）。更に、仮見出し６２ＫＭの文字列の印字を開始する先頭座標６３ＸＹが計算され、最終出力用データ６３に書き込まれる（Ｓ２８）。
【００５９】
そして、ステップＳ２６からステップＳ２８までの処理が、配置位置件数分だけ処理された場合（Ｓ２９：Ｙｅｓ）であって、かつ、指定紙面の全ての素材情報に対して処理された場合（Ｓ３０：Ｙｅｓ）には、最終出力用データ６３の作成処理を完了する。一方、ステップＳ２６からステップＳ２８までの処理が、配置位置件数分だけ処理されていない場合（Ｓ２９：Ｎｏ）には、指定紙面の素材情報が対象とされてステップＳ２５に移行する（Ｓ３１）。
【００６０】
ステップＳ２５において、対象とされた素材情報の素材種別６２ＳＢが「記事」ではない場合（Ｓ２５：Ｎｏ）には、この素材種別６２ＳＢが「画像」であるか否かが確認される。そして、この素材種別６２ＳＢが「画像」である場合（Ｓ３２：Ｙｅｓ）には、配置矩形領域座標６２ＸＹＳＸ、６２ＸＹＳＹ、６２ＸＹＥＸ、６２ＸＹＥＹに基づいて、配置矩形領域上辺の始点／終点ＸＹ座標６３ＵＰ、下辺の始点／終点ＸＹ座標６３ＤＷ、左辺の始点／終点ＸＹ座標６３ＬＴ、右辺の始点／終点ＸＹ座標６３ＲＴが計算され、最終出力用データ６３に書き込まれる（Ｓ３３）。
【００６１】
次に、素材ＩＤ番号６２ＩＤの文字列の印字を開始する先頭座標６３ＸＹが計算され、最終出力用データ６３に書き込まれる（Ｓ３４）。更に、仮見出し６２ＫＭの文字列の印字を開始する先頭座標６３ＸＹが計算され、最終出力用データ６３に書き込まれ（Ｓ３５）、その後ステップＳ３０に移行する。
【００６２】
ステップＳ３２において、対象とされた素材種別６２ＳＢが「画像」ではなく（Ｓ３２：Ｎｏ）、かつ小組でもない場合（Ｓ３６：Ｎｏ）には、ステップＳ３０に移行する。一方、ステップＳ３２において、対象とされた素材種別６２ＳＢが「画像」ではなく（Ｓ３２：Ｎｏ）、小組である場合（Ｓ３６：Ｙｅｓ）には、配置矩形領域座標６２ＸＹＳＸ、６２ＸＹＳＹ、６２ＸＹＥＸ、６２ＸＹＥＹに基づいて、配置矩形領域上辺の始点／終点ＸＹ座標６３ＵＰ、下辺の始点／終点ＸＹ座標６３ＤＷ、左辺の始点／終点ＸＹ座標６３ＬＴ、右辺の始点／終点ＸＹ座標６３ＲＴが計算され、最終出力用データ６３に書き込まれる（Ｓ３７）。
【００６３】
次に、素材ＩＤ番号６２ＩＤの文字列の印字を開始する先頭座標６３ＸＹが計算され、最終出力用データ６３に書き込まれる（Ｓ３８）。更に、仮見出し６２ＫＭの文字列の印字を開始する先頭座標６３ＸＹが計算され、最終出力用データ６３に書き込まれ（Ｓ３９）、その後ステップＳ３０に移行する。
【００６４】
なお、本実施の形態に説明した新聞紙面制作システムは、記憶媒体に格納したプログラムをコンピュータに読み込ませることで実現させることができる。
【００６５】
ここで本発明における記憶媒体としては、磁気ディスク、フロッピーディスク、ハードディスク、光ディスク（ＣＤ−ＲＯＭ、ＤＶＤ等）、光磁気ディスク（ＭＯ等）、半導体メモリ等、プログラムを記憶でき、かつコンピュータが読み取り可能な記憶媒体であれば、その記憶形式は何れの形態であってもよい。
【００６６】
また、記憶媒体からコンピュータにインストールされたプログラムの指示に基づきコンピュータ上で稼働しているＯＳ（オペレーティングシステム）や、データベース管理ソフト、ネットワークソフト等のＭＷ（ミドルウェア）等が本実施の形態を実現するための各処理の一部を実行してもよい。
【００６７】
さらに、本発明における記憶媒体は、コンピュータと独立した媒体に限らず、ＬＡＮやインターネット等により伝送されたプログラムをダウンロードして記憶又は一時記憶した記憶媒体も含まれる。
【００６８】
また、記憶媒体は１つに限らず、複数の媒体から本実施の形態における処理が実行される場合も本発明における記憶媒体に含まれ、媒体構成は何らの構成であってもよい。
【００６９】
なお、本発明におけるコンピュータは、記憶媒体に記憶されたプログラムに基づき、本実施の形態における各処理を実行するものであって、パソコン等の１つからなる装置、複数の装置がネットワーク接続されたシステム等の何れの構成であってもよい。
【００７０】
また、本発明におけるコンピュータとは、パソコンに限らず、情報処理機器に含まれる演算処理装置、マイコン等も含み、プログラムによって本発明の機能を実現することが可能な機器、装置を総称している。
【００７１】
上述したように、本発明の実施の形態に係る新聞紙面制作システムにおいては、上記のような作用により、図２９に示すように、記事や画像そのものの情報を印刷することをせずに、紙面上の対応する素材の配置位置を線分で囲み、その中に、割り付けられた素材の識別情報である素材ＩＤ情報や、仮見出しなどの情報を配置したものを印刷することができる。すなわち、紙面に割り付けられた素材の識別情報や、仮見出しなどの情報のみを紙面上の対応する素材の配置位置に印刷することができるので、オペレータは、紙面の割り付け状態を容易に確認することができるようになるために、割り付け確認作業の負担を軽減し、作業効率の向上を図ることが可能となる。
【００７２】
（第２の実施の形態）
本発明の第２の実施の形態を図３５を用いて説明する。
【００７３】
図３５は、本実施の形態に係る新聞紙面制作システムの一例を示す機能ブロック図であり、図１と同一部分には同一符号を付してその説明を省略し、ここでは異なる部分についてのみ述べる。
【００７４】
すなわち、本実施の形態に係る新聞紙面制作システムは、第１の実施の形態に係る新聞紙面制作システムの変形例であって、図１において組版編集サーバ６に備えていた紙面割付素材識別情報出力部６１を、組版端末５に備えた構成としたものである。
【００７５】
そして、紙面割付素材識別情報出力部６１は、紙面データ格納部７に格納された紙面データ７１を、組版編集サーバ６を介して読み出し、読み出した紙面データ７１に対して第１の実施の形態で説明したのと同様にして、紙面データ７１から配置素材を抽出して紙面割付素材識別情報出力用データ６２を作成し、作成した紙面割付素材識別情報出力用データ６２を最終出力用データ６３に変換し、変換した最終出力用データ６３を出力サーバ８から印刷させる機能を有している。
【００７６】
このような構成とすることによっても、第１の実施の形態と同等の作用効果を奏することができる。
【００７７】
以上、本発明の好適な実施の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【００７８】
【発明の効果】
以上説明したように、本発明によれば、紙面に割り付けられた素材の識別情報や仮見出しなどの情報のみを紙面上の対応する素材の配置位置に印刷することによって、紙面の割り付け状態を確認することができる。
【００７９】
以上により、オペレータの負担を軽減し、作業効率の向上を図ることが可能な新聞紙面の制作システムおよび制作用プログラムを実現することができる。
【図面の簡単な説明】
【図１】第１の実施の形態に係る新聞紙面制作システムの構成例を示す機能ブロック図
【図２】第１の実施の形態に係る新聞紙面制作システムの概略動作を示すフローチャート
【図３】紙面データに含まれる管理情報の一例を示すデータ構成図
【図４】紙面データに含まれる＃１素材情報（本文記事の場合）の一例を示すデータ構成図
【図５】紙面データに含まれる＃２素材情報（本文記事の場合）の一例を示すデータ構成図
【図６】紙面データに含まれる＃３素材情報（本文記事の場合）の一例を示すデータ構成図
【図７】紙面データに含まれる＃４素材情報（画像の場合）の一例を示すデータ構成図
【図８】紙面データに含まれる＃５素材情報（画像の場合）の一例を示すデータ構成図
【図９】紙面データに含まれる＃６素材情報（画像の場合）の一例を示すデータ構成図
【図１０】紙面データに含まれる＃７素材情報（小組の場合）の一例を示すデータ構成図
【図１１】紙面データに含まれる＃８素材情報（本文記事の場合）の一例を示すデータ構成図
【図１２】紙面データに含まれる＃９素材情報（本文記事の場合）の一例を示すデータ構成図
【図１３】紙面データに含まれる＃１０素材情報（画像の場合）の一例を示すデータ構成図
【図１４】記事データの一例を示すデータ構成図
【図１５】紙面割付素材識別情報出力用データに含まれる管理情報の一例を示すデータ構成図
【図１６】紙面割付素材識別情報出力用データに含まれる＃１素材情報（本文記事の場合）の一例を示すデータ構成図
【図１７】紙面割付素材識別情報出力用データに含まれる＃２素材情報（本文記事の場合）の一例を示すデータ構成図
【図１８】紙面割付素材識別情報出力用データに含まれる＃４素材情報（画像の場合）の一例を示すデータ構成図
【図１９】紙面割付素材識別情報出力用データに含まれる＃５素材情報（画像の場合）の一例を示すデータ構成図
【図２０】紙面割付素材識別情報出力用データに含まれる＃７素材情報（小組の場合）の一例を示すデータ構成図
【図２１】紙面割付素材識別情報出力用データに含まれる＃８素材情報（本文記事の場合）の一例を示すデータ構成図
【図２２】紙面割付素材識別情報出力用データに含まれる＃９素材情報（本文記事の場合）の一例を示すデータ構成図
【図２３】紙面割付素材識別情報出力用データに含まれる＃１０素材情報（画像の場合）の一例を示すデータ構成図
【図２４】最終出力用データに含まれる管理情報の一例を示すデータ構成図
【図２５】最終出力用データに含まれる＃１素材情報（本文記事の場合）の一例を示すデータ構成図
【図２６】最終出力用データに含まれる＃２素材情報（本文記事の場合）の一例を示すデータ構成図
【図２７】最終出力用データに含まれる＃４素材情報（画像の場合）の一例を示すデータ構成図
【図２８】最終出力用データに含まれる＃５素材情報（画像の場合）の一例を示すデータ構成図
【図２９】紙面割付素材識別情報の画面表示例を示す模式図
【図３０】紙面割付素材識別情報出力用データの作成動作の詳細を示すフローチャート
【図３１】最終出力用データの作成動作の詳細を示すフローチャート
【図３２】最終出力用データの作成動作の詳細を示すフローチャート
【図３３】最終出力用データの作成動作の詳細を示すフローチャート
【図３４】最終出力用データの作成動作の詳細を示すフローチャート
【図３５】第２の実施の形態に係る新聞紙面制作システムの構成例を示す機能ブロック図
【図３６】新聞紙面の構成例を示す模式図
【符号の説明】
１…校正端末
２…記事サーバ
３…加工端末
４…画像サーバ
５…組版端末
６…組版編集サーバ
７…紙面データ格納部
８…出力サーバ
９…プリンタ／プロッタ
１０…新聞
１２…紙面
１３…大組
１４…小組
１５…画像
１６…記事
１７…広告
【図１】
0004088074.tif 000002
【図２】
0004088074.tif 000003
【図３】
0004088074.tif 000004
【図４】
0004088074.tif 000005
【図５】
0004088074.tif 000006
【図６】
0004088074.tif 000007
【図７】
0004088074.tif 000008
【図８】
0004088074.tif 000009
【図９】
0004088074.tif 000010
【図１０】
0004088074.tif 000011
【図１１】
0004088074.tif 000012
【図１２】
0004088074.tif 000013
【図１３】
0004088074.tif 000014
【図１４】
0004088074.tif 000015
【図１５】
0004088074.tif 000016
【図１６】
0004088074.tif 000017
【図１７】
0004088074.tif 000018
【図１８】
0004088074.tif 000019
【図１９】
0004088074.tif 000020
【図２０】
0004088074.tif 000021
【図２１】
0004088074.tif 000022
【図２２】
0004088074.tif 000023
【図２３】
0004088074.tif 000024
【図２４】
0004088074.tif 000025
【図２５】
0004088074.tif 000026
【図２６】
0004088074.tif 000027
【図２７】
0004088074.tif 000028
【図２８】
0004088074.tif 000029
【図２９】
0004088074.tif 000030
【図３０】
0004088074.tif 000031
【図３１】
0004088074.tif 000032
【図３２】
0004088074.tif 000033
【図３３】
0004088074.tif 000034
【図３４】
0004088074.tif 000035
【図３５】
0004088074.tif 000036
【図３６】
0004088074.tif 000037